(57)【要約】【課題】容易に製造できるテープ印刷器を提供する。【解決手段】印刷器本体２と、粘着テープ３を巻き回したテープリール４と、このテープリール４から引き出した粘着テープ３の粘着面が接触する印判ローラ５とを備える。テープリール４および印判ローラ５は、印刷器本体２内にそれぞれ別個に回転自在に軸支されている。印刷器本体２は、粘着テープ３を引き出す際にこの粘着テープ３が緊張して印判ローラ５に粘着面が圧接するように粘着テープ３を案内するガイド部２３を有する。このようなテープ印刷器１では、ガイド部２３を有するため、粘着テープ３を引き出す際に、引き出す力により粘着テープ３が緊張して粘着面を印判ローラ５に圧接して、粘着テープ３の粘着面を印刷できる。【選択図】図１
2011230922.tif 000002
【特許請求の範囲】
【請求項１】
印刷器本体と、この印刷器本体内に回転自在に軸支され粘着テープが巻き回されたテープリールと、前記印刷器本体内に回転自在に軸支され前記テープリールから引き出された粘着テープの粘着面が接触する印判ローラとを具備し、前記粘着テープを引き出す際に前記粘着テープの粘着面が前記印判ローラにて印刷されるテープ印刷器であって、
前記印刷器本体は、前記粘着テープが引き出された際にこの粘着テープが緊張して粘着面が前記印判ローラへ圧接されるように前記粘着テープを案内するガイド部を有する
ことを特徴とするテープ印刷器。
【請求項２】
印刷器本体は、内側面から起立し、テープリールおよび印判ローラに当接しないように位置する壁面部を有し、
この壁面部の一部がガイド部となる
ことを特徴とする請求項１記載のテープ印刷器。
【請求項３】
ガイド部は、印刷器本体の内側面から起立した円柱状である
ことを特徴とする請求項１記載のテープ印刷器。
【請求項４】
印刷器本体と、この印刷器本体内に回転自在に軸支され粘着テープが巻き回されたテープリールと、前記印刷器本体内に回転自在に軸支され前記テープリールから引き出された粘着テープの粘着面が接触する印判ローラとを具備し、前記粘着テープを引き出す際に前記粘着テープの粘着面が前記印判ローラにて印刷されるテープ印刷器であって、
前記印判ローラは、外周面の幅方向の略中央部に周方向に沿って設けられ前記テープリールから引き出されたテープの粘着面の幅方向の略中央に接触して印刷する中央凸部と、外周面の幅方向の両端部にそれぞれ周方向に沿って設けられ前記テープリールから引き出されたテープの粘着面の幅方向の両端部に接触する両端凸部とを有し、
前記中央凸部および前記両端凸部の周方向の高さは、略同一であるか、または、前記中央凸部の方が前記両端凸部より高く形成されている
ことを特徴とするテープ印刷器。
【請求項５】
印刷器本体の一部と嵌合可能な嵌具を備え、
前記印刷器本体は、互いに対向する第１側板と第２側板とから形成され、
前記嵌具は、前記第１側板および第２側板の一部を覆うように嵌合される
ことを特徴とする請求項１ないし４のいずれか記載のテープ印刷器。
【請求項６】
印刷器本体と嵌具とは着脱可能であり、
嵌具は、インクが含侵されたインクローラと、このインクローラを回転自在に軸支するインクローラ受部とを有し、
前記インクローラは、前記嵌具を印刷器本体に装着させた状態にて印判ローラの外周面の一部に接触する
ことを特徴とする請求項１ないし５のいずれか記載のテープ印刷器。
【請求項７】
印判ローラは、外周面の幅方向の略中央部に周方向に沿って設けられ中央凸部を有し、
この中央凸部は、着脱可能な少なくとも１つの印判ブロックを有し、
この印判ブロックにより前記印判ローラの印刷面が構成される
ことを特徴とする請求項１ないし６のいずれか記載のテープ印刷器。
【発明の詳細な説明】
【技術分野】
【０００１】
本発明は、例えば市販の透明粘着テープなどの粘着テープに文字や絵柄などを印刷するためのテープ印刷器に関する。
【背景技術】
【０００２】
従来、この種のテープ印刷器としては、テープリールに巻き回された粘着テープを巻き戻して引き出す際にこの粘着テープの粘着面に文字や絵柄などを印刷するための印判ローラと、前記粘着テープを前記印判ローラに対して圧接させるための圧接ローラとを備えたものが知られている（例えば、特許文献１参照。）。
【先行技術文献】
【特許文献】
【０００３】
【特許文献１】特開昭５５−１６５８５３号公報（第１−２頁、第１図，第２図）
【発明の概要】
【発明が解決しようとする課題】
【０００４】
しかしながら、上述の特許文献１の構成では、部品点数が多くなるとともに、前記圧接ローラにてテープを印判ローラに圧接するには、前記圧接ローラを前記印判ローラ側に付勢させる構成などにする必要があるため、構成が複雑になり、製造作業が煩雑になってしまい、容易に製造できない問題が考えられる。
【０００５】
本発明はこのような点に鑑みなされたもので、容易に製造できるテープ印刷器を提供することを目的とする。
【課題を解決するための手段】
【０００６】
本発明は、印刷器本体と、この印刷器本体内に回転自在に軸支され粘着テープが巻き回されたテープリールと、前記印刷器本体内に回転自在に軸支され前記テープリールから引き出された粘着テープの粘着面が接触する印判ローラとを具備し、前記粘着テープを引き出す際に前記粘着テープの粘着面が前記印判ローラにて印刷されるテープ印刷器であって、前記印刷器本体は、前記粘着テープが引き出された際にこの粘着テープが緊張して粘着面が前記印判ローラへ圧接されるように前記粘着テープを案内するガイド部を有するものである。
【０００７】
また、本発明は、印刷器本体と、この印刷器本体内に回転自在に軸支され粘着テープが巻き回されたテープリールと、前記印刷器本体内に回転自在に軸支され前記テープリールから引き出された粘着テープの粘着面が接触する印判ローラとを具備し、前記粘着テープを引き出す際に前記粘着テープの粘着面が前記印判ローラにて印刷されるテープ印刷器であって、前記印判ローラは、外周面の幅方向の略中央部に周方向に沿って設けられ前記テープリールから引き出されたテープの粘着面の幅方向の略中央に接触して印刷する中央凸部と、外周面の幅方向の両端部にそれぞれ周方向に沿って設けられ前記テープリールから引き出されたテープの粘着面の幅方向の両端部に接触する両端凸部とを有し、前記中央凸部および前記両端凸部の周方向の高さは、略同一であるか、または、前記中央凸部の方が前記両端凸部より高く形成されているものである。
【発明の効果】
【０００８】
本発明によれば、粘着テープを引き出す際に、ガイド部により、粘着テープを緊張させて粘着面が印判ローラへ圧接されるように案内できるので、簡単な構成で容易に製造できる。
【０００９】
また、本発明によれば、両端凸部が粘着テープの粘着面の両端に接触することにより、粘着テープを引き出す際に、粘着テープが中央凸部に対してずれにくいので、正確に印刷できる。
【図面の簡単な説明】
【００１０】
【図１】本発明の第１の実施の形態に係るテープ印刷器の構成を示す平面図である。
【図２】同上テープ印刷器を示す斜視図である。
【図３】同上テープ印刷器における嵌具を取り外した状態を示す斜視図である。
【図４】同上テープ印刷器の第１側板を示す平面図である。
【図５】同上テープ印刷器の嵌具を示す平面図である。
【図６】本発明の第２の実施の形態に係るテープ印刷器の構成を示す平面図である。
【図７】本発明の第３の実施の形態に係るテープ印刷器の印判ローラを示す平面図である。
【図８】同上テープ印刷器の構成を示す平面図である。
【図９】同上テープ印刷器の変形例を示す平面図である。
【発明を実施するための形態】
【００１１】
以下、本発明の第１の実施の形態の構成について図１ないし図５を参照しながら詳細に説明する。
【００１２】
図１ないし図３において、１はテープ印刷器であり、このテープ印刷器１は、印刷器本体２を備えている。この印刷器本体２内には、例えば市販の透明粘着テープなどの粘着テープ３が巻き回された略円筒状のテープリール４が回転可能に軸支されているとともに、テープリール４から巻き戻して引き出された粘着テープ３の粘着面が接触する略円盤状の印判ローラ５が回転自在に軸支されている。印判ローラ５は、外周面の幅方向の略中央部に外周面に沿って突出した図示しない中央凸部を有し、この中央凸部には、例えば記号や文字などが形成された図示しない印判ブロックが着脱可能に設けられており、この印判ブロックが印判ローラ５の印刷面を構成する。
【００１３】
このようなテープ印刷器１では、粘着テープ３を印刷器本体２から引き出す際に粘着テープ３の粘着面が印判ローラ５にて印刷される。
【００１４】
印刷器本体２は、略対称な形状の第１側板１１と第２側板１２とが互いに対向するように組み付けられて形成されている。
【００１５】
図１および図４に示すように、第１側板１１は、平面視で略円形状で内部にテープリール４および印判ローラ５が軸支される収容部１３と、この収容部１３の周縁の一部から延出した延出部１４とを有する。また、収容部１３の周縁の一部、すなわち延出部１４の接続部分から上方の一部には、粘着テープ３を印刷器本体２から引き出すための引出口１５が設けられ、延出部１４の先端部には、引出口１５から引き出された粘着テープ３を所望の長さで切断するためのカッター部材１６が取り付けられている。
【００１６】
第１側板１１には、テープリール４が軸支される略円筒状のテープリール軸支部１７が設けられている。このテープリール軸支部１７は、第１側板１１の内側面から起立した円筒状の起立部１８と、この起立部１８のやや内側に位置する係合孔１９とを有している。また、図示していないが、第２側板１２には、第１側板１１と第２側板１２とを組み付けた際に第１側板１１のテープリール軸支部１７に係合するテープリール軸支部が設けられている。この第２側板１２のテープリール軸支部は、第１側板１１のテープリール軸支部１７の起立部１８よりやや小径の円筒状に起立した起立部と、この起立部から突出して係合孔１９に係合可能な係合爪部とが設けられている。
【００１７】
そして、テープリール４の内周面内に第１側板１１のテープリール軸支部１７の起立部１８が位置するようにテープリール４を配置した状態にて、第１側板１１のテープリール軸支部１７の起立部１８の内周面内に第２側板１２のテープリール軸支部の円筒部が挿入され、係合孔１９と係合爪部とが係合されることにより、印刷器本体２内でテープリール４が回転自在に軸支されるとともに、第１側板１１と第２側板１２とが組み付けられる。
【００１８】
第１側板１１および第２側板１２には、内側面においてテープリール軸支部１７より引出口１５側に位置し、印判ローラ５を軸支可能であり、テープリール軸支部１７より低い円筒状に起立した印判ローラ軸支部２１が設けられている。なお、第１側板１１の印判ローラ軸支部２１と図示しない第２側板１２の印判ローラ軸支部とは、同形状であり対称に配置されている。また、印判ローラ５には、両側面の中心から外側へ突出した中心軸部２２が設けられており、この中心軸部２２は、印判ローラ軸支部２１の内周面の内側に挿入可能である。
【００１９】
そして、一方の印判ローラ軸支部２１の内周面内に印判ローラ５の中心軸部２２が挿入された状態にて、第１側板１１と第２側板１２とを組み付けることにより、他方の印判ローラ軸支部２１にも印判ローラ５の中心軸部２２が挿入され、印刷器本体２内で印判ローラ５が回転自在に軸支される。
【００２０】
第１側板１１および第２側板１２には、内側面から他方側へ起立し、テープリール４から引き出された粘着テープ３の非粘着面が接触する円柱状のガイド部２３が設けられている。ガイド部２３は、粘着テープ３が引き出された際に、この粘着テープ３を緊張させて粘着面が印判ローラ５の外周面に圧接されるように粘着テープ３を案内するものである。なお、第１側板１１のガイド部２３と図示しない第２側板１２のガイド部２３とは、同形状で対称に配置されており、第１側板１１と第２側板１２とを組み付けた際に先端部同士が接触する。
【００２１】
ガイド部２３は、第１側板１１および第２側板１２の内側面において、テープリール軸支部１７から引出口１５への方向におけるテープリール軸支部１７と印判ローラ軸支部２１との間であり、かつ、テープリール軸支部１７および印判ローラ軸支部２１より底部側に配置されている。具体的には、ガイド部２３は、印刷器本体２内に軸支されたテープリール４の外周の法線のうち、図１に二点鎖線で示す印判ローラ５の外周面における粘着テープ３が接触する側の１点のみを通る法線２４を基準に、印判ローラ５側である底部側に位置している。また、ガイド部２３は、粘着テープ３の引出経路において、テープリール４と印判ローラ５との間に位置している。すなわち、テープリール４から引き出された粘着テープ３は、非粘着面がガイド部２３の外周面の一部に接触しながらガイド部２３を周りこむように印判ローラ５側へ案内される。図１に二点鎖線で示すテープリール４の外周の法線２４は、ガイド部２３が設けられていない構成にて粘着テープ３を引き出した場合の粘着テープの引出経路である。したがって、ガイド部２３は、ガイド部２３が設けられていない構成における引出経路上の粘着テープを基準に、この粘着テープの粘着面側に設けられている。
【００２２】
なお、ガイド部２３は、例えばローラ部材を回動可能に軸支して、よりスムーズに粘着テープ３を印判ローラ５へ案内できるようにしてもよい。
【００２３】
また、印刷器本体２の引出口１５は、周縁の上端部がガイド部２３の粘着テープ３接触部分における印判ローラ５側の端部と、印判ローラ５の粘着テープ３接触部分におけるガイド部２３側の端部とを通る直線より、印刷器本体２の底部側に位置することが好ましい。
【００２４】
第１側板１１および第２側板１２には、内側面から起立して形成され、テープリール４および印判ローラ５に当接しないように配置された壁面部としての補強リブ２５が設けられている。この補強リブ２５は、印刷器本体２の周縁に接続された平面状の第１面部２６と、この第１面部２６の端部に接続され、軸支されたテープリール４の外周に倣った曲面状の第２面部２７と、一端部が第２面部２７の端部に接続され、他端部が印刷器本体２の周縁に接続された平面状の第３面部２８とから形成されている。なお、第１側板１１の補強リブ２５と図示しない第２側板１２の補強リブとは、同形状であり対称に配置され、第１側板１１と第２側板１２とを組み付けた際に先端同士が接触する。
【００２５】
第１側板１１および第２側板１２には、内側面におけるテープリール軸支部１７の周囲にテープリール軸支部１７より低く起立し、テープリール軸支部１７の周方向へ延びる４つの位置決めリブ３１が設けられている。なお、第１側板１１の位置決めリブ３１と図示しない第２側板１２の位置決めリブとは、同形状であり対称に配置されている。
【００２６】
そして、第１側板１１と第２側板１２とを組み付けた状態では、各位置決めリブ３１の先端が、テープリール軸支部１７に軸支されたテープリール４の側面に接触し、テープリール軸支部１７の軸方向におけるテープリール４の位置を保持する。
【００２７】
図２に示すように、テープ印刷器１は、印刷器本体２の一部に嵌合可能な嵌具３２を備えている。この嵌具３２は、平面視で第１側板１１および第２側板１２の延出部１４の外形に倣った形状の嵌具本体３３を有し、図３に示す第１側板１１と第２側板１２とを組み付けた状態にて、それぞれの延出部１４を嵌具本体３３で覆うように嵌合される。
【００２８】
図５に示すように、嵌具３２は、インクが含侵されたインクローラ３４と、嵌具本体３３に設けられインクローラ３４を回転自在に軸支するインクローラ受部３５とを有している。
【００２９】
インクローラ３４は、インクを含侵可能な例えばスポンジなどにて形成された略円盤状のインクローラ本体３６と、このインクローラ本体３６の側面の中心から突出した中心軸部３７とを有している。
【００３０】
インクローラ受部３５は、平面視で略半円状で軸支されたインクローラ３４の一部を覆う被覆部３８と、この被覆部３８の両側面の上端部の略中央に弧状に切り欠かれた切欠部３９とを有している。
【００３１】
そして、インクローラ本体３６の一部が被覆部３８に覆われた状態にて中心軸部３７が切欠部３９に回転自在に係合されることにより、インクローラ３４がインクローラ受部３５に回転自在に軸支される。
【００３２】
ここで、印刷器本体２の延出部１４の基端部近傍には、連通口４１が設けられており、印刷器本体２の一部に嵌合した嵌具３２のインクローラ３４は、連通口４１を介して印刷器本体２内へ突出する。したがって、インクローラ３４は、嵌具３２を印刷器本体２に装着させた状態にて印判ローラ５の外周面の一部に接触し、印判ローラ５の回転に伴ってインクローラ３４が回転することにより、印判ローラ５の外周面にインクが塗布される。
【００３３】
印刷器本体２の延出部１４の外側面には、図４に示すように係合溝部４２が設けられ、嵌具本体３３には、図５に示すように内側面から突出し係合溝部４２に係合可能な係合凸部４３が設けられている。印刷器本体２の延出部１４と嵌具３２とを嵌合した状態では、係合溝部４２と係合凸部４３とが係合し、嵌合状態が保持される。
【００３４】
次に、上記第１の実施の形態の作用、動作および効果を説明する。
【００３５】
テープ印刷器１から粘着テープ３を引き出して粘着テープ３の粘着面に印刷する際には、印刷器本体２内において、テープリール４から引き出された粘着テープ３は、まず、非接触面がガイド部２３の外周面に接触しながら、ガイド部２３を周り込むように印判ローラ５へ案内される。
【００３６】
印判ローラ５へ案内された粘着テープ３は、粘着面が印判ローラ５に接触して引出口１５へ引き出される。ここで、粘着テープ３と印判ローラ５とが接触する際には、粘着テープ３の引出経路におけるテープリール４と印判ローラ５との間に位置するようにガイド部２３が設けられており、この引出経路では、ガイド部２３の外周面の粘着テープ３が接触する部分と、印判ローラ５の外周面の粘着テープ３が接触する部分と、平面視で引出口１５の粘着テープ３が交差する部分とが、同一直線上に位置せず、引き出された粘着テープ３が印判ローラ５の外周面にて折曲した状態となる。したがって、粘着テープ３を引き出す力によって、粘着テープ３は、印判ローラ５の外周面に接触する部分を基点に緊張して粘着面が印判ローラ５に圧接される。粘着テープ３の粘着面が圧接された印判ローラ５は、粘着テープ３の引き出しにともなって回転して粘着テープ３の粘着面が印刷される。なお、印判ローラ５は、粘着テープ３の接触部分とは異なる部分にインクローラ３４が接触しており、このインクローラ３４は印判ローラ５の回転にともなって回転し、印判ローラ５にインクを塗布する。
【００３７】
粘着面が印刷され引出口１５から引き出された粘着テープ３は、カッター部材１６で所望の長さに切断されて使用される。
【００３８】
このようなテープ印刷器１によれば、印刷器本体２にガイド部２３を有するため、粘着テープ３を引き出す際に、ガイド部２３により、粘着テープ３を緊張させて粘着面が印判ローラ５に圧接されるように案内できる。したがって、上記特許文献１のように粘着テープ３粘着面を確実に印刷するために圧接ローラなどの構成が煩雑化する部品を取り付ける必要がなく、例えばガイド部２３を印刷器本体２に一体成形することも可能であり、簡単な構成で容易に製造できる。
【００３９】
ガイド部２３は、印刷器本体２の内側面から起立した円柱状であるため、ガイド部２３と粘着テープ３の非接触面との摩擦力を軽減でき、粘着テープ３を印判ローラ５へ安定した状態でスムーズに案内できる。特にガイド部２３にローラ部材を軸支すると、より摩擦力を軽減できる。
【００４０】
また、ガイド部２３が円柱状であり、第１側板１１および第２側板１２のガイド部２３の先端が接触することにより、ガイド部２３の側面に粘着テープ３の非粘着面全体が接触できるので、ガイド部２３にて粘着テープ３を案内する際に粘着テープ３に皺などが形成されにくく、粘着テープ３が安定した状態で印判ローラ５へ案内できる。
【００４１】
印刷器本体２の引出口１５は、周縁の上端部が、ガイド部２３における粘着テープ３接触部分の印判ローラ５側の端部と、印判ローラ５における粘着テープ３接触部分のガイド部２３側の端部とを通る直線より、印刷器本体２の底部側に位置することにより、粘着テープ３を引き出す際に、粘着テープ３を上方へ向けて引っ張っても、引出口１５の上端部に粘着テープ３が接触して印刷器本体２内の引出経路を制限できるので、粘着テープ３における、ガイド部２３の外周面に接触する部分と、印判ローラ５の外周面に接触する部分と、平面視で引出口１５と交差する部分とが同一直線上に位置せず、ガイド部２３による粘着テープ３緊張作用を確保でき、粘着テープ３の粘着面を印判ローラ５に確実に圧接できる。
【００４２】
印刷器本体２の内側面に補強リブ２５が設けられたことにより、第１側板１１と第２側板１２とを組み付けた状態にて、補強リブ２５の先端同士が接触するので、印刷器本体２の強度を向上できる。
【００４３】
印刷器本体２の内側面に位置決めリブ３１が設けられたことにより、印刷器本体２内にて、テープリール４がテープリール軸支部１７の軸方向に移動しないので、テープリール４から粘着テープ３を正確に引き出しやすく、印判ローラ５にて正確に印刷しやすい。
【００４４】
テープ印刷器１は、嵌具３２を備えることにより、印刷器本体２を第１側板１１と第２側板１２とが組み付けられた状態に保持しやすい。
【００４５】
印刷器本体２と嵌具３２とが着脱可能であり、嵌具３２にインクローラ３４が回転自在に軸支されたことにより、インクローラ３４にて印判ローラ５にインクを塗布できるとともに、インク切れの場合には、印刷器本体２と嵌具３２との嵌合を解除して嵌具３２を取り外すと、嵌具３２とともにインクローラ３４も印刷器本体２から取り外されるので、インクが付着したインクローラ３４を手で触れることなく印刷器本体２から取り外すことができる。したがって、例えば登録実用新案第３０３５３６３号公報などに記載されたインクが含侵された印判ローラが設けられた構成などのように、インク切れの場合に、印判ローラを交換する必要がないとともに、使用者がインクローラ３４を手で触れることなく印刷器本体２から取り外すことができるので、インクローラ３４交換作業の煩雑化を防止できる。また、インクローラ３４を交換することで、使用するインクの色を容易に変更でき、使い勝手がよい。
【００４６】
印刷器本体２に係合溝部４２が設けられ、嵌具３２に係合凸部４３が設けられたことにより、印刷器本体２と嵌具３２との嵌合状態が不意に解除されにくくできる。
【００４７】
また、嵌具３２のインクローラ受部３５によりインクローラ３４の一部が覆われるため、テープ印刷器１を使用際や嵌具３２を取り外す際などに、使用者がインクローラ３４触れてしまうことを防止できる。
【００４８】
印判ローラ５は、着脱可能な印判ブロックが設けられた中央凸部を有することにより、文字単位や記号単位で印刷面の構成を変更できるので、使い勝手がよい。また、例えば実公昭６２−２７４１２号公報などに記載された構成では、印判ローラが印刷器本体から容易に取り外せないため、印刷する絵柄や文字列を変更する際には印判ローラが軸支されたまま印字ブロックを交換する必要があったが、印判ローラ５は、テープリール４を交換する場合と同様に、第１側板１１と第２側板１２とを離間させることで印刷器本体２から容易に取り外すことができるため、印判ローラ５を印刷器本体２から取り外した状態で容易に印判ブロックを交換できる。
【００４９】
なお、上記第１の実施の形態では、テープ印刷器１は、印刷器本体２とこの印刷器本体２に嵌合可能な嵌具３２とを備え、印刷器本体２が第１側板１１と第２側板１２とを組み付けて形成され、これら第１側板１１および第２側板１２の一部を覆うように嵌具３２が嵌合された構成としたが、このような構成には限定されない。すなわち、印刷器本体２内にテープリール４および印判ローラ５が軸支され、印刷器本体２にテープリール４から引き出された粘着テープ３を印判ローラ５へ案内するガイド部２３が設けられた構成であれば、例えば、嵌具３２を設けない構成などにしてもよく、また、印刷器本体２の形状は適宜設計できる。
【００５０】
また、テープ印刷器１は、インクローラ３４にて印判ローラ５にインクを塗布する構成にすることにより、インク切れの際の対処が容易になるので好ましいが、このような構成には限定されず、例えばインクローラ３４が設けられず、印判ローラ５にインクが含侵さえた構成にしてもよい。
【００５１】
印刷器本体２は、円柱状のガイド部２３が設けられた構成としたが、ガイド部２３は、粘着テープ３が引き出された際にこの粘着テープ３が緊張して粘着面が印判ローラ５へ圧接されるように粘着テープ３を案内できるものであればよく、ガイド部２３が円柱状の構成には限定されない。
【００５２】
印刷器本体２は、カッター部材１６が取り付けられた延出部１４を有する構成としたが、このような構成には限定されず、カッター部材１６を取り付ける位置は適宜設計でき延出部１４が設けられていない構成などにしてもよい。
【００５３】
印刷器本体２は、補強リブ２５が設けられた構成としたが、このような構成には限定されず、補強リブ２５が設けられていない構成にしてもよい。
【００５４】
印刷器本体２は、位置決めリブ３１が設けられた構成にしたが、このような構成には限定されず、位置決めリブ３１が設けられていない構成にしてもよい。
【００５５】
印判ローラ５は、着脱可能な印判ブロックを有する中央凸部が設けられた構成としたが、このような構成には限定されず、例えば、中央凸部に印判ブロックが設けられていない構成や、印判ローラ５に中央凸部が設けられてない構成などにしてもよい。また、着脱可能な印判ブロックが設けられた構成にする場合は、印判ブロック１個に対して１つの文字や記号が形成された構成には限定されず、印判ブロック１個に複数の文字や記号が形成された構成にしてもよい。
【００５６】
次に、第２の実施の形態を図６を参照して説明する。なお、上記第１の実施の形態と同一の構成及び作用については、同一符号を付してその説明を省略する。
【００５７】
図６に示すように、第２の実施の形態では、壁面部としての補強リブ５１の一部にてガイド部５２が構成されている。具体的には、補強リブ５１は、印刷器本体２の周縁に接続された平面状の第１面部５３と、この第１面部５３の端部に接続されテープリール４の外周に倣った曲面状の第２面部５４と、一端が第２面部５４の一部に接続され、他端が印刷器本体２の周縁に接続された平面状の第３面部５５とから形成されている。そして、第２面部５４の第１面部５３とは反対側の端部が、軸支されたテープリール４と軸支された印判ローラ５との間に位置しておりガイド部５２となっている。このガイド部５２は、先端部が屈曲され略つ字状に形成されている。
【００５８】
このように補強リブ５１の一部がガイド部５２を構成することにより、補強リブ５１を形成することにより、同時にガイド部５２も形成できるので、より構成を簡単にでき容易に製造できる。
【００５９】
第１側板１１の補強リブ５１および第１側板の補強リブ５１と同形状で対称に配置された第２側板１２の補強リブ５１は、第１側板１１と第２側板１２とを組み付けた際に、先端部同士が接触することにより、粘着テープ３の非粘着面の全体がガイド部５２に接触できるため、ガイド部５２にて粘着テープ３を案内する際に粘着テープに皺などが形成されにくく、粘着テープ３が安定した状態で印判ローラ５へ案内できる。
【００６０】
なお、補強リブ５１は、一部がテープリール４と印判ローラ５との間に位置してガイド部５２を構成できればよく、補強リブ５１の形状は適宜設計できる。
【００６１】
次に、第３の実施の形態を図７ないし図９を参照して説明する。なお、上記各実施の形態と同一の構成及び作用については、同一符号を付してその説明を省略する。
【００６２】
第３の実施の形態では、印判ローラ６１の形状により、粘着テープ３を印判ローラ６１の印刷面に圧接させている。すなわち、図７に示すように、印判ローラ６１は、外周面の幅方向の略中央に周方向に沿って設けられた中央凸部６２と、外周面の幅方向の両端部にそれぞれ周方向に沿って設けられた両端凸部６３とを有している。
【００６３】
中央凸部６２は、粘着テープ３に印刷するための文字や記号が形成された印刷面を構成する着脱可能な印判ブロック６４を有し、粘着テープ３の粘着面の幅方向の略中央に接触する。
【００６４】
印判ローラ６１には図示しない印判ブロック受部が設けられ、印判ブロック６４は、印判ブロック受部に対して着脱可能に形成されている。
【００６５】
印判ブロック受部は、印判ローラ６１の円周に沿って設けられ、印判ローラ６１は、印判ローラ６１の円周の一部に印判ブロック受部を有さない領域、すなわち、印判ブロック６４を装着できない領域を有している。印判ローラ６１に印判ブロック６４を装着できない領域が設けられたことにより、印判ローラ６１にて印刷した粘着テープ３には文字や記号が印刷されていない余白部分が形成され、使用者が粘着テープ３を引き出す際に指で触れる箇所や、粘着テープ３を切断する際にカッター部材１６に接触させる箇所を確保できるので、粘着テープ３に印刷されたインクが使用者の指やカッター部材１６に付着することを防止できる。
【００６６】
両端凸部６３は、粘着テープ３の粘着面の幅方向の一端に接触する一端凸部６５と、粘着テープ３の粘着面の幅方向の他端に接触する他端凸部６６とを有している。
【００６７】
中央凸部６２および両端凸部６３は、中央凸部６２の方が両端凸部６３よりやや高く周方向に突出し、印判ローラ６１に接触する粘着テープ３は、幅方向の中央が両端に比べて突出した状態になる。
【００６８】
このように印判ローラ６１は、中央凸部６２と両端凸部６３と有するため、粘着テープ３を引き出す際に、両端凸部６３に粘着テープ３の粘着面が接触して粘着することにより、インクが付着した印刷面である中央凸部６２に対して粘着テープ３がずれにくく、正確に印刷できる。すなわち、印刷面である中央凸部６２の表面では、付着されたインクの流動性により、粘着テープ３を引き出す際の引き出される力により粘着テープ３が滑りやすいものの、両端凸部６３を有することにより、粘着テープ３は、印判ローラ６１に接触した状態にて、粘着面が一端凸部６５および他端凸部６６に粘着するので、粘着テープ３が印判ローラ６１に対して滑ってずれることを防止できる。したがって、例えば上記特許文献１のように粘着テープ３粘着面を確実に印刷するために圧接ローラなどの構成が煩雑化する部品を取り付ける必要がなく、簡単な構成で容易に製造できる。
【００６９】
このような印判ローラ６１を用いる場合は、上記第１の実施の形態および第２の実施の形態のようにガイド部２３，５２が設けられ、粘着テープ３がより強力に印判ローラ６１に圧接されるようにしてもよい。また、図８に示すように、印判ローラ６１は、印判ローラ６１の外周における粘着テープ３と接する箇所がテープリール４の中心より上方に位置するように配置され、ガイド部２３，５２が設けられていなくても粘着テープ３が印判ローラ６１に圧接される構成にしてもよい。さらに、印判ローラ６１の形状により粘着テープ３を印判ローラ６１の印刷面に圧接できるので、図９に示すように、ガイド部２３，５２が設けられていないとともに、印判ローラ６１の外周における粘着テープ３と接する箇所が、テープリール４の中心より上方に位置しない構成にしてもよい。
【００７０】
なお、上記第３の実施の形態では、中央凸部６２が着脱可能な印判ブロック６４を有する構成としたが、印判ローラ６１に中央凸部６２と両端凸部６３とが設けられた構成であれば、着脱可能な印判ブロック６４を有さない構成にしてもよい。
【００７１】
印判ローラ６１は、中央凸部６２の方が両端凸部６３より高い構成としたが、このような構成には限定されず、例えば中央凸部６２と両端凸部６３とが略同一の高さの構成にしてもよい。
【符号の説明】
【００７２】
１    テープ印刷器
２    印刷器本体
３    粘着テープ
４    テープリール
５    印判ローラ
１１  第１側板
１２  第２側板
２３  ガイド部
３２  嵌具
３４  インクローラ
３５  インクローラ受部
５１  壁面部としての補強リブ
５２  ガイド部
６１  印判ローラ
６２  中央凸部
６３  両端凸部
６４  印判ブロック
【図１】
2011230922.tif 000003
【図２】
2011230922.tif 000004
【図３】
2011230922.tif 000005
【図４】
2011230922.tif 000006
【図５】
2011230922.tif 000007
【図６】
2011230922.tif 000008
【図７】
2011230922.tif 000009
【図８】
2011230922.tif 000010
【図９】
2011230922.tif 000011